(57)【要約】  【課題】排泄液を確実に吸収、拡散して吸収体全体に有効に吸収利用でき、排泄液の漏れを防止できる。  【解決手段】吸収性物品本体１は透液性表面シート２と不透液性裏面シート３と吸収体４とにて前側部分５、中央部分６および後側部分７を長手方向に順次に一体的に形成する。吸収体４は、上層吸収体部10と下層吸収体部11とにて形成し、上層吸収体部10の幅方向寸法は少なくとも下層吸収体部11の幅寸法より大きく形成する。上層吸収体部10の幅方向中央部に幅方向より長手方向が長い非吸収空間部12を形成し、上層吸収体部10の非吸収空間部12には下層吸収体部11を配設する。上層吸収体部10の非吸収空間部12には透液性表面シート２と下層吸収体部11との間に拡散層13を配設する。  【選択図】図１
2005185616.tif 000002
【特許請求の範囲】
【請求項１】
透液性表面シートと、不透液性裏面シート及びこの透液性表面シートと不透液性裏面シートとの間に配設した吸収体とにて前側部分、中央部分および後側部分を長手方向に順次に一体的に形成しかつこの透液性表面シートと不透液性裏面シートとにて形成し長手方向に沿った両側縁部及び幅方向に沿った両端縁部を有する吸収性物品本体を備え、
前記吸収体は、上層吸収体部と下層吸収体部とにて形成し、
この上層吸収体部の幅方向寸法は少なくとも下層吸収体部の幅寸法より大きく形成し、
この上層吸収体部の幅方向中央部に幅方向より長手方向が長い非吸収空間部を形成し、
前記上層吸収体部の非吸収空間部には前記下層吸収体部を配設し、
前記上層吸収体部の非吸収空間部に臨ませて前記透液性表面シートと下層吸収体部との間に拡散層を配設した
ことを特徴とした使い捨て吸収性物品。
【請求項２】
上層吸収体部に形成した非吸収空間部は、この上層吸収体部の長手方向全長に亘って形成し、
拡散層は前記非吸収空間部の長手方向の中央部に配設した
ことを特徴とした請求項１記載の使い捨て吸収性物品。
【請求項３】
上層吸収体部の非吸収空間部において、拡散層の不存在部の少なくとも一部に、下層吸収体部から透液性表面シート側に向って膨出した膨出部を配設したことを特徴とする請求項１または２記載の使い捨て吸収性物品。
【請求項４】
拡散層の幅方向寸法は上層吸収体部の非吸収空間部の幅方向寸法より大きく、この上層吸収体部と前記拡散層とは一部で重なっていることを特徴とする請求項１ないし３のいずれかに記載の使い捨て吸収性物品。
【請求項５】
拡散層の幅方向寸法は上層吸収体部の非吸収空間部の幅方向寸法より小さく、この拡散層の幅方向の両側部に沿って前記上層吸収体部と拡散層との間に溝部を形成したことを特徴とする請求項１ないし３のいずれかに記載の使い捨て吸収性物品。
【発明の詳細な説明】
【技術分野】
【０００１】
本発明は、乳幼児用、大人用或いは失禁用などに用いる使い捨ておむつなどの使い捨て吸収性物品に関する。
【背景技術】
【０００２】
従来、この種の使い捨ておむつは、透液性表面シートと不透液性裏面シートとの間に吸収体を配設し、背側腰回り部、両側に脚回り部を有する股下回り部および腹側腰回り部を長手方向に順次に一体的に形成し、この吸収体は幅方向に分割した第１及び第２の吸収体部とにて形成し、この第１及び第２の吸収体部との間に非吸収空間部を形成し、この非吸収空間部に臨ませて透液性表面シートと不透液性裏面シートとの間に拡散シートを配設した使い捨ておむつ本体の構成が採られている(例えば、特許文献１参照。)。
【特許文献１】特開２００１−２９３０３４号公報（第５頁、図６）
【発明の開示】
【発明が解決しようとする課題】
【０００３】
解決しようとする問題点は、上記構成の使い捨ておむつなどの使い捨て吸収性物品では、吸収体の第１及び第２の吸収体部との間に非吸収空間部を形成したため、排泄液体が非吸収空間部に流れ込み、非吸収空間部に臨ませて配設された拡散シートによって第１及び第２の吸収体部に拡散吸収させることができるが、第１及び第２の吸収体部の間に形成された非吸収空間部は吸収体部がないため、使い捨ておむつ本体全体が不規則に捻れ易く、捩れによって排泄液体が使い捨ておむつ本体から漏れ出ることがあり、また、第１及び第２の吸収体部の間の非吸収空間部に流れ込んだ排泄液体が第１及び第２の吸収体部に吸収されるまで非吸収部に溜まることになり、排泄液体が使い捨ておむつ本体から漏れの原因となることがあった。
【０００４】
本発明は、上記問題点に鑑みなされたもので、排泄液体を確実に吸収、拡散させて吸収体全体に有効に利用でき、排泄液体の漏れを防止できる使い捨ておむつなどの使い捨て吸収性物品を提供するものである。
【課題を解決するための手段】
【０００５】
本発明の使い捨て吸収性物品は、透液性表面シートと、不透液性裏面シート及びこの透液性表面シートと不透液性裏面シートとの間に配設した吸収体とにて前側部分、中央部分および後側部分を長手方向に順次に一体的に形成しかつこの透液性表面シートと不透液性裏面シートとにて形成し長手方向に沿った両側縁部及び幅方向に沿った両端縁部を有する吸収性物品本体を備え、前記吸収体は、上層吸収体部と下層吸収体部とにて形成し、この上層吸収体部の幅方向寸法は少なくとも下層吸収体部の幅寸法より大きく形成し、この上層吸収体部の幅方向中央部に幅方向より長手方向が長い非吸収空間部を形成し、前記上層吸収体部の非吸収空間部には前記下層吸収体部を配設し、前記上層吸収体部の非吸収空間部に臨ませて前記透液性表面シートと下層吸収体部との間に拡散層を配設したものである。
【０００６】
そして、透液性表面シートと不透液性裏面シートとの間の配設した吸収体は上層吸収体部と下層吸収体部とにて形成し、この上層吸収体部の幅方向中央部に非吸収空間部を形成したため、人の股間幅に比して広い幅の吸収体は非吸収空間部が狭まり、吸収体は略股間幅に合せた幅になり、吸収体に不規則な捩れが生じることがないので、吸収体の液体吸収性能が低下することなく、透液性表面シートを透過した排泄液体は、吸収体の上層吸収体部に吸収されるとともに一部は上層吸収体部の非吸収空間部に流れ込み、この非吸収空間部に流れ込んだ排泄液体の一部は下層吸収体部に吸収されるとともに拡散層によって拡散され、上層吸収体部と下層吸収体部とに拡散吸収され、上層吸収体部の非吸収空間部に流れ込んだ排泄液体が非吸収空間部に溜まることがないので、液漏れが生じることがなく、吸収体には全体的に有効に排泄液体が確実に吸収できる。
【０００７】
また、本発明の使い捨て吸収性物品の上層吸収体部に形成した非吸収空間部は、この上層吸収体部の長手方向全長に亘って形成し、拡散層は前記非吸収空間部の長手方向の中央部に配設したものである。
【０００８】
そして、非吸収空間部が吸収体の上層吸収体部の長手方向全長に亘って形成されているため、排泄液体が吸収体の長手方向に沿って拡散吸収され、吸収体全体を有効に利用でき、しかも、上層吸収体部は一体に製造してから幅方向中央部において長手方向に切断し、幅方向に一定寸法間隔を空けることにより容易に製造でき、材料的にも無駄が生じることがない。
【０００９】
さらに、本発明の使い捨て吸収性物品は、上層吸収体部の非吸収空間部において、拡散層の不存在部の少なくとも一部に、下層吸収体部から透液性表面シート側に向って膨出した膨出部を配設したものである。
【００１０】
そして、吸収体の上層吸収体部の非吸収空間部には下層吸収体部から膨出した膨出部が配設されているため、吸収性物品を密着装着した状態で、皮膚に非吸収空間部の痕跡が残るような段差が少なくなり、装着感が良好となる。
【００１１】
また、本発明の使い捨て吸収性物品の拡散層の幅方向寸法は、上層吸収体部の非吸収空間部の幅方向寸法より大きく、この上層吸収体部と前記拡散層とは一部で重なっているものである。
【００１２】
そして、吸収体の上層吸収体部に形成した非吸収空間部に流入した排泄液体は拡散層によって長手方向及び幅方向に拡散され、吸収体全体に有効に拡散吸収される。
【００１３】
さらに、本発明の使い捨て吸収性物品は、拡散層の幅方向寸法は上層吸収体部の非吸収空間部の幅方向寸法より小さく、この拡散層の幅方向の両側部に沿って前記上層吸収体部と拡散層との間に溝部を形成したものである。
【００１４】
そして、吸収体の上層吸収体部に形成した非吸収空間部に流入した排泄液体は、拡散層によって拡散されるとともに上層吸収体部と拡散層との間に形成した溝部に沿って拡散され、吸収体の長手方向に有効に拡散吸収される。
【発明の効果】
【００１５】
本発明の使い捨て吸収性物品によれば、吸収体の液体吸収性能が低下することなく、透液性表面シートを透過した排泄液体は、下層吸収体部に吸収されるとともに拡散層によって拡散され、上層吸収体部と下層吸収体部とに拡散吸収され、排泄液体が非吸収空間部に溜まることがないので、液漏れが生じることがなく、吸収体には全体的に有効に排泄液体が確実に吸収できる。
【００１６】
また、本発明の使い捨て吸収性物品によれば、排泄液体が吸収体の長手方向に沿って拡散吸収され、吸収体全体を有効に利用でき、しかも、容易に製造でき、材料的にも無駄が生じることがない。
【００１７】
さらに、本発明の使い捨て吸収性物品によれば、吸収性物品を密着装着した状態で、皮膚に非吸収空間部の痕跡が残るような段差が少なくなり、装着感が良好となる。
【００１８】
また、本発明の使い捨て吸収性物品によれば、吸収体の上層吸収体部に形成した非吸収空間部に流入した排泄液体は拡散層によって長手方向及び幅方向に拡散され、吸収体全体に有効に拡散吸収される。
【００１９】
さらに、本発明の使い捨て吸収性物品によれば、吸収体の上層吸収体部に形成した非吸収空間部に流入した排泄液体は、拡散層によって拡散されるとともに上層吸収体部と拡散層との間に形成した溝部に沿って拡散され、吸収体の長手方向に有効に拡散吸収される。
【発明を実施するための最良の形態】
【００２０】
本発明の一実施の形態を図１及び図２に基づいて説明する。
【００２１】
図１ないし図２において、使い捨ておむつなどの使い捨て吸収性物品本体１は、液体を透過する肌触りのよい織布、不織布、多孔性フィルム、合成樹脂繊維などにて形成された透液性表面シート２と、液体を透過しないポリエチレン樹脂などの樹脂性フィルムにて形成された不透液性裏面シート３及びこの透液性表面シート２と不透液性裏面シート３との間に配設した吸収体４とにて前側部分５、中央部分６および後側部分７を長手方向に順次に一体的に形成しかつ幅方向は左右対称に形成されている。
【００２２】
また、この使い捨て吸収性物品本体１は、透液性表面シート２および不透液性裏面シート３との周縁を接着または融着などにより結合してこの透液性表面シート２と不透液性裏面シート３の周縁に長手方向に沿った両側縁部８及び幅方向に沿った両端縁部９が形成されている。
【００２３】
前記吸収体４は、パルプを主材として高分子吸水性ポリマーを含む物質などにて上層吸収体部10と下層吸収体部11とに形成され、この上層吸収体部10の幅方向寸法l1は少なくとも下層吸収体部11の幅寸法l2より大きく形成されている。
【００２４】
また、この上層吸収体部10の幅方向中央部に幅方向より長手方向が長い長孔状に刳り抜いた非吸収空間部12が形成され、この上層吸収体部10の非吸収空間部12の部分には前記下層吸収体部11が配設されている。
【００２５】
さらに、前記上層吸収体部10の非吸収空間部12には前記透液性表面シート２と下層吸収体部11との間にシート状の拡散層13が配設されている。この拡散層13は、例えば、太さ２デニール〜10デニールの繊維を使用した坪量20g/m2〜40g/m2の不織布にて透液性表面シート２より嵩高く形成されている。この拡散層13は不織布はエアースルー不織布が好ましい。
【００２６】
次に、この実施の形態の作用について説明する。
【００２７】
吸収性物品本体１の不透液性裏面シート３を外側にするとともに透液性表面シート２を肌側にして、吸収性物品本体１の前側部分５を腹側に当て中央部分６を股下部に当てるとともに後側部分７を背側に当てて吸収性物品本体１の前側部分５の不透液性裏面シート３の両側部と不透液性表面シート３の後側部分７の両側部を面ファスナーなどにて結合することにより、吸収性物品本体１を人体に装着する。
【００２８】
そして、吸収体４は上層吸収体部10と下層吸収体部11とにて形成し、この上層吸収体部10の幅方向中央部に非吸収空間部12を形成したため、人の股間幅に比して広い幅の吸収体４は非吸収空間部12が狭まり、吸収体４は略股間幅に合せた幅になり、吸収体４に不規則な捩れが生じることがないので、吸収体４の液体吸収性能が低下することなく、透液性表面シート２を透過した排泄液体は、吸収体４の上層吸収体部10に吸収されるとともに一部は上層吸収体部10の非吸収空間部12に流れ込み、この非吸収空間部12に流れ込んだ排泄液体の一部は下層吸収体部11に吸収されるとともに拡散層13によって拡散され、上層吸収体部10と下層吸収体部11とに拡散吸収され、上層吸収体部10の非吸収空間部12に流れ込んだ排泄液体が非吸収空間部12に溜まることがないので、液漏れが生じることがなく、吸収体４には全体的に有効に排泄液体が確実に吸収できる。
【００２９】
次に、他の実施の形態を図３に基づいて説明する。
【００３０】
前記図１及び図２に示す使い捨て吸収性物品において、吸収体４の上層吸収体部10に形成した非吸収空間部12は、長手方向が長い長孔状に刳り抜いて形成した構成としたが、この実施の形態では、吸収体４の上層吸収体部10を左右に分離して上層吸収体部10に形成した非吸収空間部12は、上層吸収体部10の長手方向全長に亘って形成する。そして、この上層吸収体部10に形成した非吸収空間部12の長手方向の中央部に、拡散層13を形成したものである。
【００３１】
他の構成は、前記図１及び図２に示す使い捨て吸収性物品と同一構成である。
【００３２】
次に、この実施の形態の作用を説明する。
【００３３】
この実施の形態では、吸収体４の上層吸収体部10に形成した非吸収空間部12が上層吸収体部10の長手方向全長に亘って形成されているため、排泄液体が吸収体４の長手方向に沿って拡散吸収され、吸収体４の全体を有効に利用でき、しかも、上層吸収体部10は一体に製造してから幅方向中央部において長手方向に切断し、幅方向に一定寸法間隔を空けることにより容易に製造でき、材料的にも無駄が生じることがない。
【００３４】
他の作用は、前記図１及び図２に示す使い捨て吸収性物品と同一である。
【００３５】
さらに、他の実施の形態を図４に基づいて説明する。
【００３６】
この実施の形態では、前記図３に示す実施の形態において、吸収体４の上層吸収体部10に形成した非吸収空間部12に臨ませて、拡散層13の前側または後側或いは前後部の拡散層不存在部15の少なくとも一部に、下層吸収体部11から透液性表面シート２側に向って膨出した膨出部16を形成し、この膨出部16を上層吸収体部10に形成した非吸収空間部12に位置させたものである。
【００３７】
他の構成は、前記図３に示す使い捨て吸収性物品と同一構成である。
【００３８】
次に、この実施の形態の作用を説明する。
【００３９】
吸収体４の上層吸収体部10の非吸収空間部12には、下層吸収体部11から膨出した膨出部16が配設されているため、吸収性物品を密着装着した状態で、皮膚に非吸収空間部12の痕跡が残るような段差が少なくなり、装着感が良好となる。
【００４０】
他の作用は、前記図３に示す実施の形態と同一である。
【００４１】
さらに、他の実施の形態を図５に基づいて説明する。
【００４２】
この実施の形態では、前記図１及び図２に示す実施の形態において、吸収体４の上層吸収体部10の非吸収空間部12に配設した拡散層13の幅方向寸法l3は、上層吸収体部10の非吸収空間部12の幅方向寸法l4より大きく、この上層吸収体部10と前記拡散層13とは一部で重なっているものである。
【００４３】
他の構成は、前記図１及び図２に示す使い捨て吸収性物品と同一構成である。
【００４４】
この実施の形態の作用を説明する。
【００４５】
吸収体４の上層吸収体部10に形成した非吸収空間部12に流入した排泄液体は拡散層13によって長手方向及び幅方向に拡散され、拡散層13は吸収体４の上層吸収体部10に重なるとともに下層吸収体部11に重なっており、排泄液体は上層吸収体部10と下層吸収体部11とに吸収され、排泄液体は吸収体４全体に有効に拡散吸収される。
【００４６】
他の作用は前記図１及び図２に示す使い捨て吸収性物品と同一である。
【００４７】
さらに、他の実施の形態を図６に基づいて説明する。
【００４８】
この実施の形態は、前記図５に示す実施の形態において、吸収体４の上層吸収体部10に形成した非吸収空間部12に臨ませて拡散層13と下層吸収体部11との間にこの下層吸収体部11から透液性表面シート２側に向って膨出した膨出部16を形成し、この膨出部16に重なった拡散層13には膨出突出部18が形成され、この膨出突出部18が上層吸収体部10に形成した非吸収空間部12に位置させたものである。
【００４９】
この実施の形態では、吸収体４の上層吸収体部10の非吸収空間部12には、下層吸収体部11から膨出した膨出部16に重なった拡散層13が配設されているため、吸収性物品を密着装着した状態で、皮膚に非吸収空間部12の痕跡が残るような段差が少なくなり、装着感が良好となる。
【００５０】
他の作用は、前記図５に示す実施の形態と同一である。
【００５１】
さらに、他の実施の形態を図７に基づいて説明する。
【００５２】
この実施の形態では、前記図１及び図２に示す実施の形態において、拡散層13の幅方向寸法l5は吸収体４の上層吸収体部10に形成した非吸収空間部12の幅方向寸法l6より小さく、この拡散層13の幅方向の両側部に沿って前記上層吸収体部10と拡散層13との間に溝部17を形成したものである。
【００５３】
他の構成は、前記図１及び図２に示す使い捨て吸収性物品と同一構成である。
【００５４】
この実施の形態の作用を説明する。
【００５５】
吸収体４の上層吸収体部10に形成した非吸収空間部12に流入した排泄液体は、拡散層13によって拡散されるとともに上層吸収体部10と拡散層13との間に形成した溝部17に沿って拡散され、吸収体４の長手方向に有効に拡散吸収され、吸収体４の長手方向に排泄液体に沿って吸収され、排泄液体は吸収体４全体に有効に吸収される。
【図面の簡単な説明】
【００５６】
【図１】本発明の一実施の形態を示す使い捨て吸収性物品の平面図である。
【図２】同上II-II線部の縦断正面図である。
【図３】本発明の他の実施の形態を示す使い捨て吸収性物品の平面図である。
【図４】本発明の他の実施の形態を示す使い捨て吸収性物品の縦断正面図である。
【図５】本発明の他の実施の形態を示す使い捨て吸収性物品の縦断正面図である。
【図６】本発明の他の実施の形態を示す使い捨て吸収性物品の縦断正面図である。
【図７】本発明の他の実施の形態を示す使い捨て吸収性物品の縦断正面図である。
【符号の説明】
【００５７】
１    使い捨て吸収性物品本体
２    透液性表面シート
３    不透液性裏面シート
４    吸収体
５    前側部分
６    中央部分
７    後側部分
８    両側縁部
９    両端縁部
10    上層吸収体部
11    下層吸収体部
12    非吸収空間部
13    拡散層
15    拡散層不存在部
16    膨出部
17    溝部
【図１】
2005185616.tif 000003
【図２】
2005185616.tif 000004
【図３】
2005185616.tif 000005
【図４】
2005185616.tif 000006
【図５】
2005185616.tif 000007
【図６】
2005185616.tif 000008
【図７】
2005185616.tif 000009